(57)【要約】【課題】基板上に樹脂封止された複数の発光素子を備え、樹脂とこの樹脂周りに設けられた反射壁との間に発生した剥離の伝播を抑制可能な線状光源を得る。【解決手段】線状光源２４ａは、基板３１と、基板３１上において配列された複数の発光素子４０と、基板３１上において複数の発光素子４０の周りに環状に設けられた反射壁３２と、反射壁３２の内表面３２Ｊ側に設けられ、複数の発光素子４０を封止する樹脂５０と、を備える。反射壁３２は、複数の発光素子４０の配列方向に沿って延在し、複数の発光素子４０の両外側にそれぞれ位置する第１側壁部３２Ｍおよび第２側壁部３２Ｎと、第１側壁部３２Ｍにおける内表面３２Ｊおよびまたは第２側壁部３２Ｎにおける内表面３２Ｊに形成され、内表面３２Ｊに形成された部分から樹脂５０側に向かって延在する延在部３２Ｔと、を含む。【選択図】図１０
2012216595.tif 000002
【特許請求の範囲】
【請求項１】
基板と、
前記基板上において配列された複数の発光素子と、
前記基板上において複数の前記発光素子の周りに環状に設けられた反射壁と、
前記反射壁の内表面側に設けられ、複数の前記発光素子を封止する樹脂と、を備え、
前記反射壁は、
複数の前記発光素子の配列方向に沿って延在し、複数の前記発光素子の両外側にそれぞれ位置する第１側壁部および第２側壁部と、
前記第１側壁部における前記内表面およびまたは前記第２側壁部における前記内表面に形成され、前記内表面に形成された部分から前記樹脂側に向かって延在する延在部と、を含む、
線状光源。
【請求項２】
前記基板からの前記延在部の上端面の高さは、前記基板からの前記反射壁の上端面の高さよりも低い、
請求項１に記載の線状光源。
【請求項３】
前記延在部の前記上端面は、前記発光素子に近づくにつれて前記基板からの高さが徐々に低くなるように傾斜している、
請求項２に記載の線状光源。
【請求項４】
前記延在部の表面は、前記発光素子から出射された光が前記基板側から前記樹脂側に向かって反射されるように傾斜または湾曲している、
請求項２または３に記載の線状光源。
【請求項５】
前記延在部は、
前記第１側壁部における前記内表面に形成された第１延在部と、
前記第２側壁部における前記内表面に形成された第２延在部と、を有する、
請求項１から４のいずれかに記載の線状光源。
【請求項６】
複数のうちの隣り合う前記発光素子同士の間に、前記第１延在部および前記第２延在部の一方が配置され、
前記第１延在部および前記第２延在部の他方は、前記第１延在部および前記第２延在部の前記一方の前記配列方向における両側に配置された前記発光素子を挟んでその反対側に配置される、
請求項５に記載の線状光源。
【請求項７】
前記延在部は、前記第１側壁部および前記第２側壁部を接続するように設けられる、
請求項１から４のいずれかに記載の線状光源。
【発明の詳細な説明】
【技術分野】
【０００１】
本発明は、線状光源に関し、特に、基板上に樹脂封止された複数の発光素子を備える線状光源に関する。
【背景技術】
【０００２】
特開平０９−１４８６３３号公報（特許文献１）には、発光ダイオード整列光源に関する発明が開示される。この発光ダイオード整列光源は、複数個の発光ダイオードチップと、一対の反射壁（白色系樹脂体）と、透明樹脂体とを備える。
【０００３】
上記複数個の発光ダイオードチップは、プリント配線基板上において直線状に配置される。上記一対の反射壁は、上記複数個の発光ダイオードチップの両側に平行に配置される。上記透明樹脂体は、上記一対の反射壁の間に直線状に配置される。
【０００４】
特許文献１の発光ダイオード整列光源においては、発光ダイオードチップから発した光が、反射壁によって反射される。反射壁からの反射光は、光源の光軸上に集まる。特許文献１は、この発光ダイオード整列光源によれば、光の利用効率を向上させることによって、高い照度を得ることができると述べている。
【先行技術文献】
【特許文献】
【０００５】
【特許文献１】特開平０９−１４８６３３号公報
【発明の概要】
【発明が解決しようとする課題】
【０００６】
特許文献１の発光ダイオード整列光源のような線状光源においては、複数の発光素子を封止する樹脂が、この樹脂周りに設けられた反射壁の内表面から剥離することがある。剥離が伝播（拡大）すると、輝度ムラなどが生じる原因となる。
【０００７】
本発明は、基板上に樹脂封止された複数の発光素子を備える線状光源であって、樹脂とこの樹脂周りに設けられた反射壁との間に発生した剥離の伝播を抑制可能な線状光源を提供することを目的とする。
【課題を解決するための手段】
【０００８】
本発明に基づく線状光源は、基板と、上記基板上において配列された複数の発光素子と、上記基板上において複数の上記発光素子の周りに環状に設けられた反射壁と、上記反射壁の内表面側に設けられ、複数の上記発光素子を封止する樹脂と、を備え、上記反射壁は、複数の上記発光素子の配列方向に沿って延在し、複数の上記発光素子の両外側にそれぞれ位置する第１側壁部および第２側壁部と、上記第１側壁部における上記内表面およびまたは上記第２側壁部における上記内表面に形成され、上記内表面に形成された部分から上記樹脂側に向かって延在する延在部と、を含む。
【０００９】
好ましくは、上記基板からの上記延在部の上端面の高さは、上記基板からの上記反射壁の上端面の高さよりも低い。
【００１０】
好ましくは、上記延在部の上記上端面は、上記発光素子に近づくにつれて前記基板からの高さが徐々に低くなるように傾斜している。
【００１１】
好ましくは、上記延在部の表面は、上記発光素子から出射された光が上記基板側から上記樹脂側に向かって反射されるように傾斜または湾曲している。
【００１２】
好ましくは、上記延在部は、上記第１側壁部における上記内表面に形成された第１延在部と、上記第２側壁部における上記内表面に形成された第２延在部と、を有する。
【００１３】
好ましくは、複数のうちの隣り合う上記発光素子同士の間に、上記第１延在部および上記第２延在部の一方が配置され、上記第１延在部および上記第２延在部の他方は、上記第１延在部および上記第２延在部の上記一方の上記配列方向における両側に配置された上記発光素子を挟んでその反対側に配置される。
【００１４】
好ましくは、上記延在部は、上記第１側壁部および上記第２側壁部を接続するように設けられる。
【発明の効果】
【００１５】
本発明によれば、基板上に樹脂封止された複数の発光素子を備える線状光源であって、樹脂とこの樹脂周りに設けられた反射壁との間に発生した剥離の伝播を抑制可能な線状光源を得ることができる。
【図面の簡単な説明】
【００１６】
【図１】実施の形態１における線状光源を備える液晶表示装置を示す正面図である。
【図２】実施の形態１における線状光源を備える液晶表示装置の分解斜視図である。
【図３】実施の形態１における線状光源を備える液晶表示装置を示す断面図である。
【図４】実施の形態１における線状光源を含む光源モジュールの一部を示す斜視図である。
【図５】実施の形態１における線状光源を有するＬＥＤユニットの分解斜視図である。
【図６】実施の形態１における線状光源を有するＬＥＤユニットの脚部およびその周囲の部材を示す断面図である。
【図７】実施の形態１における線状光源を示す斜視図である。
【図８】実施の形態１における線状光源を示す平面図である。
【図９】図８中のＩＸ−ＩＸ線に沿った矢視断面図である。
【図１０】図８中のＸ−Ｘ線に沿った矢視断面図である。
【図１１】実施の形態１における線状光源に剥離が発生した様子を示す平面図である。
【図１２】実施の形態２における線状光源を示す断面図である。
【図１３】実施の形態３における線状光源を示す断面図である。
【図１４】実施の形態４における線状光源を示す斜視図である。
【図１５】実施の形態５における線状光源を示す平面図である。
【図１６】図１５中のＸＶＩ−ＸＶＩ線に沿った矢視断面図である。
【図１７】実施の形態６における線状光源を示す第１断面図である。
【図１８】実施の形態６における線状光源を示す第２断面図である。
【図１９】実施の形態７における線状光源を示す平面図である。
【発明を実施するための形態】
【００１７】
以下、本発明に基づいた各実施の形態における線状光源と、この線状光源を備えた電子機器とについて説明する。各実施の形態については、この線状光源が適用された液晶表示装置に基づいて説明する。液晶表示装置は、電子機器の一例である。本発明における線状光源は、照明装置、プロジェクタ、またはサイネージなどの他の電子機器にも適用されることができる。
【００１８】
各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成を適宜組み合わせて用いることは、当初から予定されていることである。
【００１９】
［実施の形態１］
図１から図３を参照して、本実施の形態における線状光源を備える液晶表示装置１について説明する。本実施の形態における線状光源（図７における線状光源２４ａ参照）の詳細については、図７から図１１を参照して後述する。
【００２０】
（液晶表示装置１）
図１は、液晶表示装置１を示す正面図である。図１に示すように、液晶表示装置１は、土台１Ａ上に設けられる。液晶表示装置１は、画像が表示される画面を有する。詳細は後述されるが、液晶表示装置１の背面の高さ方向の中央部（図１の一点鎖線参照）に、光源モジュール２０が設けられる（図３も参照）。光源モジュール２０は、液晶表示装置１の一方の側辺部から他方の側辺部にわたって延びるように設けられる。
【００２１】
図２は、液晶表示装置１の分解斜視図である。図３は、液晶表示装置１を示す断面図である。図２および図３に示すように、液晶表示装置１は、光を出射する光出射面を有するバックライト１０と、バックライト１０の光出射面上に配置された拡散シート２と、拡散シート２上に配置されたプリズムシート３と、プリズムシート３上に配置された液晶パネル４と、液晶パネル４に設けられたフレーム５とを備える。
【００２２】
液晶パネル４は、板状に形成される。液晶パネル４の一方の主表面４Ａには、画像を表示可能な画像表示領域と、画像表示領域の外周に位置する非表示領域とが形成される。フレーム５は、液晶パネル４の非表示領域を覆うと共に、画像表示領域に表示された画像が外部から観察可能なように枠状に形成される。
【００２３】
バックライト１０は、面発光ユニットあって、液晶パネル４に向けて光を照射する。バックライト１０は、光源モジュール２０と、光源モジュール２０上に配置され、開口部１１ａが形成されたシャーシ１１と、シャーシ１１に対して光源モジュール２０と反対側に配置された反射シート１２と、反射シート１２に対してシャーシ１１と反対側に配置された導光板１３とを含む。
【００２４】
（光源モジュール２０）
光源モジュール２０から導光板１３に向けて出射された光は、拡散シート２およびプリズムシート３を通して液晶パネル４に入射する。上述のとおり、光源モジュール２０は、液晶表示装置１の背面の高さ方向の中央部に設けられる（図１の一点鎖線参照）。光源モジュール２０は、液晶表示装置１の一方の側辺部から他方の側辺部にわたって延びるように設けられる。液晶パネル４に表示された画像は、バックライト１０からの光によって、観察者により視認されることができる。
【００２５】
図４は、光源モジュール２０の一部を示す斜視図である。図３および図４に示すように、光源モジュール２０は、液晶表示装置１の幅方向に延びる光源ホルダー２１と、光源ホルダー２１に設けられた複数のＬＥＤ（Light  Emitting  Diode）ユニット２５とを備える。複数のＬＥＤユニット２５は、直線状に並んだ状態で光源ホルダー２１（搭載板２６）上に固定される。
【００２６】
光源ホルダー２１は、搭載板２６と、搭載板２６の側辺部から立ち上がるように形成された周壁部２７と、周壁部２７の上端部から張り出す鍔部２８とから構成される。搭載板２６は、シャーシ１１（図３参照）から間隔をあけて配置される。鍔部２８は、シャーシ１１に固定される。
【００２７】
（ＬＥＤユニット２５）
複数のＬＥＤユニット２５の各々は、搭載板２６上に固定される板状のヒートシンク２２と、ヒートシンク２２上において互いに間隔をあけて配置された線状光源２４ａおよび線状光源２４ｂと、線状光源２４ａおよび線状光源２４ｂを接続するように配置されたアーチ形状の光結合部材３０とを含む。
【００２８】
図５は、ＬＥＤユニット２５の分解斜視図である。図５に示すように、線状光源２４ａは、基板３１と、基板３１の主表面上に形成されたダム３２とを有する。基板３１およびダム３２は、液晶表示装置１の幅方向に長尺に形成される。ダム３２は、環状に形成される。ダム３２内には、複数（たとえば５０個）のＬＥＤ（図示せず）が、ダム３２の長さ方向に間隔（たとえば数ｍｍ）をあけて配置される。上述のとおり、線状光源２４ａのさらなる詳細については、図７から図１１を参照して後述する。
【００２９】
線状光源２４ｂは、線状光源２４ａと略同様に構成される。線状光源２４ｂは、基板３３と、基板３３の主表面上に配置されたダム３４とを有する。基板３３およびダム３４も、液晶表示装置１の幅方向に長尺に形成される。ダム３４は、環状に形成される。ダム３４内には、複数のＬＥＤ（図示せず）がダム３４の長さ方向に間隔をあけて配置される。
【００３０】
光結合部材３０は、液晶表示装置１の幅方向に長尺に形成される。光結合部材３０の長さ方向に垂直な断面において、光結合部材３０は二股状に形成される。光結合部材３０は、付根部３５と、付根部３５から二股に分かれる脚部３６および脚部３７とを含む。
【００３１】
付根部３５の頂点部３５ａは平坦状に形成される。頂点部３５ａは、図３に示すように、シャーシ１１に形成された開口部１１ａと、反射シート１２に形成されたスリット１２ａとからそれぞれ露出する導光板１３に接触している。導光板１３と光結合部材３０とは、互いに別部材である。導光板１３と光結合部材３０との間に、空気は介在しない。導光板１３と光結合部材３０とは、接着剤またはレーザ溶着などによって互いに接合される。
【００３２】
図５を再び参照して、脚部３６および脚部３７は、付根部３５から離れるにつれて互いの間隔が広がるように形成される。脚部３６の底面は、ダム３２上に配置される（図６参照）。脚部３７の底面は、ダム３４上に配置される。
【００３３】
図６は、線状光源２４ａを有するＬＥＤユニット２５の脚部３６およびその周囲の部材を示す断面図である。図６に示すように、脚部３６の底面には、突出部３８が形成される。突出部３８は、接着剤３９によって基板３１に固定される。
【００３４】
線状光源２４ａは、環状のダム３２の内側に配置された複数のＬＥＤ４０（発光素子）を含む。ダム３２および複数のＬＥＤ４０は、突出部３８よりも外側に配置される。脚部３６の外周面は、湾曲面状に形成される。脚部３６の外周面によって、反射面４２が形成される。
【００３５】
ＬＥＤ４０から出射された光は、反射面４２によって反射される。反射面４２からの反射光は、頂点部３５ａに達する。頂点部３５ａに達した光は、図３に示す導光板１３に入射する。導光板１３に入射した光は、導光板１３の内部を全反射しながら進む。導光板１３に入射した光は、図示しない光路変換部（光散乱体）に衝突する。光路変換部との衝突によって、導光板１３に入射した光の導光板１３中を進む角度が変わり、全反射条件が破られる。その後、光は、導光板１３の液晶パネル４（図３参照）側の表面から出射する。導光板１３から出射した光は、拡散シート２およびプリズムシート３を通して液晶パネル４に向かう。
【００３６】
図５を再び参照して、脚部３７も、脚部３６と同様に構成される。脚部３７の外周面は湾曲面状に形成される。脚部３７の外周面によって、反射面４１が形成される。線状光源２４ｂからの光は、反射面４１によって反射される。反射面４１で反射された光は、頂点部３５ａを通って、導光板１３内に入射する。導光板１３に入射した光は、導光板１３の液晶パネル４（図３参照）側の表面から出射する。導光板１３から出射した光は、拡散シート２およびプリズムシート３を通して液晶パネル４に向かう。
【００３７】
線状光源２４ａ，２４ｂから出射された光は、以上のようにして液晶パネル４まで導光される。液晶パネル４まで導光された光によって、液晶パネル４に表示された画像は、観察者により視認されることが可能となる。
【００３８】
（線状光源２４ａ）
以下、図７から図１１を参照して、本実施の形態における線状光源２４ａについて詳細に説明する。上述の線状光源２４ｂ（図５参照）も、線状光源２４ａと同様に構成されるとよい。
【００３９】
図７は、線状光源２４ａを示す斜視図である。図８は、線状光源２４ａを示す平面図である。図７および図８においては、ダム３２、樹脂５０、および基板３１の一部が破断して図示されるが、これらは実際には所定の長さにわたって連続している（後述する図１５，図１９においても同様である）。ダム３２の長手方向の長さは、たとえば１００ｍｍである。図９は、図８中のＩＸ−ＩＸ線に沿った矢視断面図である。図１０は、図８中のＸ−Ｘ線に沿った矢視断面図である。
【００４０】
図７および図８に示すように、線状光源２４ａは、基板３１と、基板３１上において線状に並んで配列された複数のＬＥＤ４０（図８参照）と、基板３１上において複数のＬＥＤ４０の周りに環状に設けられたダム３２（反射壁）と、環状に形成されたダム３２の内表面３２Ｊ（図８参照）側に設けられ、複数のＬＥＤ４０を封止する樹脂５０とを備える。複数のＬＥＤ４０は、基板３１上において線状に並んで配列される場合に限られず、基板３１上においていわゆる千鳥状に配列されていてもよく、基板３１上において全体として直線または曲線に沿う形で不規則に配列されていてもよい。
【００４１】
ダム３２は、第１側壁部３２Ｍおよび第２側壁部３２Ｎと、延在部３２Ｔ（詳細は後述する）とを含む。第１側壁部３２Ｍおよび第２側壁部３２Ｎは、複数のＬＥＤ４０の配列方向（図８紙面左右方向）に沿って延在する。第１側壁部３２Ｍおよび第２側壁部３２Ｎは、複数のＬＥＤ４０の（線状光源２４ａの長手方向に直交する方向における）両外側にそれぞれ位置する。
【００４２】
ダム３２は、反射率が高いたとえば白色の樹脂から形成される。ダム３２を構成する樹脂は、たとえばエポキシ系またはシリコーン系である。ダム３２は、たとえばダム３２の形状に対応した金型を使用するトランスファーモールド法によって形成されることができる。ＬＥＤ４０から出射された光は、ダム３２によって反射され、光結合部材３０（図６参照）側に効率良く取り出される。
【００４３】
樹脂５０は、ＬＥＤ４０から出射される光に対して、ダム３２が有する反射率よりも小さい反射率を有する部材から形成される。樹脂５０は、たとえば、ポッティング方式で塗布された透明または乳白色のシリコーン樹脂である。樹脂５０には、蛍光体が混入される。樹脂５０は、ポッティング方式以外にも、トランスファー成型またはインジェクション成型などによっても形成されることができる。樹脂５０によって、ＬＥＤ４０およびワイヤ４０Ｗ（図９参照）は、物理的または電気的に保護される。
【００４４】
図９に示すように、基板３１は、アルミベース３１Ａと、アルミベース３１Ａ上に設けられ、高熱伝導性を有する絶縁樹脂３１Ｐと、絶縁樹脂３１Ｐ上において所定の形状にパターニングされた配線３１Ｃと、配線３１Ｃを覆うように設けられた絶縁樹脂３１Ｒと、配線３１Ｃ上に設けられるとともに、絶縁樹脂３１Ｒに形成された開口から露出するように設けられためっき３１Ｇとを含む。
【００４５】
ＬＥＤ４０は、透明シリコーンなどを材料とするダイボンドペースト４０Ｓを挟んで基板３１（めっき３１Ｇ）上に搭載される。隣り合うＬＥＤ４０同士（図８参照）は、金（Ａｕ）などを材料とするワイヤ４０Ｗ（図９参照）によって互いに接続される。
【００４６】
図８および図１０に示すように、延在部３２Ｔは、第１側壁部３２Ｍにおける内表面３２Ｊおよび第２側壁部３２Ｎにおける内表面３２Ｊに形成される。延在部３２Ｔは、内表面３２Ｊに形成された部分から樹脂５０側に向かって突出するように延在する。換言すると、延在部３２Ｔは、ダム３２と樹脂５０との間の界面Ｒ（図８参照）の一部Ｒ１（図８参照）において、ダム３２側から樹脂５０側に向かって凸状に設けられる。
【００４７】
延在部３２Ｔの形成によって、ダム３２と樹脂５０との間の界面Ｒの一部Ｒ１において、樹脂５０は、ダム３２側から樹脂５０側に向かって凹んでいる。本実施の形態における延在部３２Ｔは、ダム３２と一体的に略直方体状に形成される。延在部３２Ｔは、たとえば延在部３２Ｔ（およびダム３２）の形状に対応した金型を使用するトランスファーモールド法によって形成されることができる。延在部３２Ｔは、ダム３２と別体に設けられた後、互いに接合されてもよい。
【００４８】
図１０に示すように、基板３１からの延在部３２Ｔの上端面３２ＴＵの高さ３２ＴＨは、基板３１からのダム３２の上端面３２Ｕの高さ３２Ｈよりも低いとよい。環状に形成されたダム３２の内表面３２Ｊ側（第１側壁部３２Ｍおよび第２側壁部３２Ｎの間）に樹脂５０がポッティング方式で塗布される場合、液体状の樹脂５０がダム３２の上端面３２Ｕ上に乗り上げてしまうことが抑制される。
【００４９】
図８を再び参照して、本実施の形態における延在部３２Ｔは、第１側壁部３２Ｍにおける内表面３２Ｊに形成された第１延在部３２Ｔ１と、第２側壁部３２Ｎにおける内表面３２Ｊに形成された第２延在部３２Ｔ２とを含む。第１延在部３２Ｔ１および第２延在部３２Ｔ２の高さおよび形状は、同一であっても異なっていてもよい。
【００５０】
第１延在部３２Ｔ１は、複数のうちの隣り合うＬＥＤ４０同士の間に配置される。第２延在部３２Ｔ２は、複数のＬＥＤ４０の配列方向において、第１延在部３２Ｔ１の両側に配置されたＬＥＤ４０を挟んでその第１延在部３２Ｔ１の反対側に配置される。第１延在部３２Ｔ１および第２延在部３２Ｔ２は、複数のＬＥＤ４０の配列方向において、複数のＬＥＤ４０の両外側から１つ１つのＬＥＤ４０を挟みつつ、複数のＬＥＤ４０の配列方向において全体として交互に（いわゆる千鳥の足跡状に）規則的に配置される。
【００５１】
複数のうちの隣り合うＬＥＤ４０同士の間に、複数の第１延在部３２Ｔ１および複数の第２延在部３２Ｔ２が規則的にまたは不規則的に設けられていてもよい。本実施の形態における線状光源２４ａは、以上のように構成される。
【００５２】
（作用・効果）
図１１を参照して、本実施の形態における線状光源２４ａの作用および効果について説明する。線状光源２４ａにおいては、複数のＬＥＤ４０を封止する樹脂５０が、環状に形成されたダム３２の内表面３２Ｊ側に設けられる。ここで、ダム３２（第１側壁部３２Ｍ）と樹脂５０との界面Ｒにおいて、剥離１０００が発生することがある。剥離１０００は、たとえばダム３２の熱膨張率と樹脂５０の熱膨張率との違いが原因となって発生する。
【００５３】
ダム３２の熱膨張率と樹脂５０の熱膨張率とが異なると、線状光源２４ａの長手方向において、ダム３２および樹脂５０の熱収縮の度合いが異なる。線状光源２４ａの使用環境の温度変化、または線状光源２４ａの製造途中の温度変化によって、たとえば、ダム３２よりも樹脂５０が多く熱収縮したとする。ダム３２および樹脂５０の熱収縮の度合いの差が、ある一定の値よりも大きくなると、樹脂５０はダム３２（第１側壁部３２Ｍ）から剥がれてしまい、剥離１０００が発生する。
【００５４】
ここで、本実施の形態における線状光源２４ａは、ダム３２に延在部３２Ｔが形成される。延在部３２Ｔは、ダム３２と樹脂５０との間の界面Ｒの一部（図８における界面Ｒの一部Ｒ１）において、ダム３２側から樹脂５０に向かって凸状に設けられる。
【００５５】
図１１に示すように、延在部３２Ｔの形成によって、剥離１０００が発生した界面Ｒと、延在部３２Ｔによって形成された界面ＲＲ（図８における界面Ｒの一部Ｒ１）とは、同一平面上には位置していない。界面Ｒに発生した剥離１０００が延在部３２Ｔ（第１延在部３２Ｔ１）を乗り越えてさらに線状光源２４ａの長手方向に広がることは抑制される。
【００５６】
延在部３２Ｔの延在方向（図１１紙面上下方向）において、剥離１０００が延在部３２Ｔ（第１延在部３２Ｔ１）よりも図１１紙面下方に乗り越える（回り込む）ように拡大してはじめて、剥離１０００は延在部３２Ｔ（第１延在部３２Ｔ１）を乗り越えて伝播する。延在部３２Ｔが延在（本実施の形態においては突出）している分だけ、剥離１０００の伝播（拡大）は防止または抑制されることができる。これは、第２側壁部３２Ｎ側の延在部３２Ｔ（第２延在部３２Ｔ２）についても同様である。
【００５７】
したがって、剥離１０００が線状光源２４ａの長手方向（図１１の紙面左右方向）に伝播しようとしたとしても、その伝播は延在部３２Ｔによって効果的に防止または抑制されることができる。本実施の形態における線状光源２４ａによれば、剥離１０００の伝播が防止または抑制されることによって、輝度ムラの発生も抑制されることが可能となる。
【００５８】
また、線状光源２４ａにおいては、複数のＬＥＤ４０が線状（本実施の形態においては直線状）に並んで配列される。隣り合うＬＥＤ４０同士の間隔は、たとえば２ｍｍである。線状光源２４ａによれば、複数のＬＥＤ４０間に生じる色度差および輝度差を目立たないくすることもできる。線状光源２４ａの全体として、複数のＬＥＤ４０による均一な発光を得ることが可能となる。
【００５９】
［実施の形態２］
図１２を参照して、実施の形態２における線状光源２４ａ１について説明する。図１２は、線状光源２４ａ１を示す断面図である。
【００６０】
線状光源２４ａ１においては、延在部３２Ｔ（第２延在部３２Ｔ２）の上端面３２ＴＵは、ＬＥＤ４０（図示せず）または第１側壁部３２Ｍ側に近づくにつれて基板３１からの高さが徐々に低くなるように傾斜している。環状に形成されたダム３２の内表面３２Ｊ側（第１側壁部３２Ｍおよび第２側壁部３２Ｎの間）に、液体状の樹脂５０がポッティング方式で塗布される場合、延在部３２Ｔの上端面３２ＴＵの上に塗布された樹脂５０は、積極的に基板３１側に流れ落ちることが可能となる。
【００６１】
［実施の形態３］
図１３を参照して、実施の形態３における線状光源２４ａ２について説明する。図１３は、線状光源２４ａ２を示す断面図である。
【００６２】
図１３に示す線状光源２４ａ２のように、延在部３２Ｔは、必要に応じて樹脂５０の中に埋没するように形成されてもよい。線状光源２４ａ２においては、延在部３２Ｔが、樹脂５０の表面には露出していない。当該構成によっても、ダム３２の下方側（基板３１側）と樹脂５０との間に生じた剥離（図示せず）の伝播は、延在部３２Ｔによって防止または抑制されることができる。
【００６３】
［実施の形態４］
図１４を参照して、実施の形態４における線状光源２４ａ３について説明する。図１４は、線状光源２４ａ３を示す斜視図である。図１４においては、図示上の便宜のため、樹脂５０が図示されていない。
【００６４】
図１４に示す線状光源２４ａ３のように、延在部３２Ｔが複数のうちの隣り合うＬＥＤ４０同士の間に設けられる場合、延在部３２Ｔの表面３２ＴＳは、ＬＥＤ４０から出射された光が基板３１側から樹脂５０（図示せず）側に向かって反射されるように傾斜しているとよい。本変形例のように、延在部３２Ｔが三角柱状に形成される場合、その頂角θは４５°であるとよい。
【００６５】
当該構成によれば、ＬＥＤ４０から出射された光は、延在部３２Ｔによって反射され、光結合部材３０（図６参照）側に効率良く取り出されることが可能となる（図１４中に示される矢印参照）。ＬＥＤ４０から出射された光の取り出しという観点からは、延在部３２Ｔの表面３２ＴＳは、ＬＥＤ４０から出射された光が基板３１側から樹脂５０（図示せず）側に向かって反射されるように湾曲していてもよい。
【００６６】
［実施の形態５］
図１５および図１６を参照して、実施の形態５における線状光源２４ａ４について説明する。図１５は、線状光源２４ａ４を示す平面図である。図１６は、図１５中のＸＶＩ−ＸＶＩ線に沿った矢視断面図である。
【００６７】
線状光源２４ａ４においては、延在部３２Ｔが、樹脂５０の内部に埋没しつつ、いわゆる橋渡し状に設けられる（延在部３２Ｔは、樹脂５０の表面からは露出していない）。線状光源２４ａ４における延在部３２Ｔは、環状に形成されたダム３２のうちの対向する内表面３２Ｊ，３２Ｊ同士の間（第１側壁部３２Ｍおよび第２側壁部３２Ｎの間）を接続するように設けられる。当該構成によっても、上述の実施の形態１と同様に、ダム３２に延在部３２Ｔが形成されていることによって、樹脂５０とダム３２との間に発生した剥離の伝播は防止または抑制されることができる。
【００６８】
［実施の形態６］
図１７および図１８を参照して、実施の形態６における線状光源２４ａ５について説明する。図１７は、線状光源２４ａ５を示す第１断面図である。図１７は、上述の実施の形態１における図９に対応している。図１８は、線状光源２４ａ５を示す第２断面図である。図１８は、上述の実施の形態１における図１０に対応している。
【００６９】
線状光源２４ａ５においては、上述の各実施の形態におけるダム３２（図９等参照）の代わりに、ダム３２Ｒ（反射壁）が用いられる。上述の各実施の形態におけるダム３２は、たとえばダム３２の形状に対応した金型を使用するトランスファーモールド法によって形成される。
【００７０】
線状光源２４ａ６におけるダム３２Ｒは、蛍光体入りのシリコーン樹脂が、ディスペンサを用いて基板３１（絶縁樹脂３１Ｒ）上に環状に塗布（ポッディング）されることによって形成される。ダム３２Ｒにおける延在部３２ＴＲは、いわゆるフレキソ印刷法（ゴムなどの弾性を有する版と、液状の樹脂とを用いる凸版印刷方式）によって形成されることができる。
【００７１】
延在部３２ＴＲの形成に際しては、延在部３２ＴＲを形成する部分に、予め、延在部３２ＴＲの濡れ性を高める表面処理を施す。延在部３２ＴＲを形成しない部分に、予め、延在部３２ＴＲの撥水性を高める表面処理を施す。延在部３２ＴＲを形成する部材の撥水性および濡れ性を利用して、延在部３２ＴＲはダム３２Ｒと一体的に形成されることができる。当該構成によっても、上述の実施の形態１と同様に、ダム３２Ｒに延在部３２ＴＲが形成されていることによって、樹脂５０とダム３２Ｒとの間に発生した剥離の伝播は防止または抑制されることができる。
【００７２】
［実施の形態７］
図１９は、実施の形態７における線状光源２４ａ６を示す平面図である。上述の各実施の形態における線状光源は、直線状に構成される。樹脂５０およびダム３２（第１側壁部３２Ｍおよび第２側壁部３２Ｎ）も、直線状に配列された複数のＬＥＤ４０に沿って、直線状に形成される。本発明における線状光源としては、直線状に限らず、曲線状に湾曲するように構成されていてもよい。すなわち、「線状」は、直線状および曲線状を含む。
【００７３】
図１９に示す線状光源２４ａ６においては、基板３１の表面は平坦に形成される。ダム３２および樹脂５０が、基板３１上において円弧状に湾曲するように形成される。当該構成によっても、上述の各実施の形態と同様に、ダム３２に延在部３２Ｔが形成されていることによって、樹脂５０とダム３２との間に発生した剥離の伝播は防止または抑制されることができる。
【００７４】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００７５】
１  液晶表示装置、１Ａ  土台、２  拡散シート、３  プリズムシート、４  液晶パネル、４Ａ  主表面、５  フレーム、１０  バックライト、１１  シャーシ、１１ａ  開口部、１２  反射シート、１２ａ  スリット、１３  導光板、２０  光源モジュール、２１  光源ホルダー、２２  ヒートシンク、２４ａ，２４ａ１，２４ａ２，２４ａ３，２４ａ４，２４ａ５，２４ａ６，２４ｂ  線状光源、２５  ＬＥＤユニット、２６  搭載板、２７  周壁部、２８  鍔部、３０  光結合部材、３１，３３  基板、３１Ａ  アルミベース、３１Ｃ  配線、３１Ｇ  めっき、３１Ｐ，３１Ｒ  絶縁樹脂、３２，３２Ｒ，３４  ダム（反射壁）、３２Ｈ，３２ＴＨ  高さ、３２Ｊ，３２Ｊ，３２Ｊ  内表面、３２Ｍ  第１側壁部、３２Ｎ  第２側壁部、３２Ｔ１  第１延在部、３２Ｔ，３２ＴＲ  延在部、３２Ｔ２  第２延在部、３２ＴＳ  表面、３２ＴＵ，３２Ｕ  上端面、３５  付根部、３５ａ  頂点部、３６，３７  脚部、３８  突出部、３９  接着剤、４０  ＬＥＤ（発光素子）、４０Ｓ  ダイボンドペースト、４０Ｗ  ワイヤ、４１，４２  反射面、５０  樹脂、１０００  剥離、Ｒ，ＲＲ  界面、Ｒ１  一部。
【図１】
2012216595.tif 000003
【図２】
2012216595.tif 000004
【図３】
2012216595.tif 000005
【図４】
2012216595.tif 000006
【図５】
2012216595.tif 000007
【図６】
2012216595.tif 000008
【図７】
2012216595.tif 000009
【図８】
2012216595.tif 000010
【図９】
2012216595.tif 000011
【図１０】
2012216595.tif 000012
【図１１】
2012216595.tif 000013
【図１２】
2012216595.tif 000014
【図１３】
2012216595.tif 000015
【図１４】
2012216595.tif 000016
【図１５】
2012216595.tif 000017
【図１６】
2012216595.tif 000018
【図１７】
2012216595.tif 000019
【図１８】
2012216595.tif 000020
【図１９】
2012216595.tif 000021